(57)【要約】【課題】 印鑑を捺印する際、邪魔にならず印影を容易に真っ直ぐに押すことができるガイド機能を有し、かつ持ち運びが煩わしくない印鑑補助具を提供する。【解決手段】  印影を真っ直ぐに捺印するための印鑑補助具であって、印鑑の上部に被冠されるキャップであり、前記キャップが、上面に形設された十文字状の上面パターン及び、同パターン端から同キャップの側面に沿って下方に延設された側面パターンを有してなる印鑑補助具。【選択図】  図１
2006027149.tif 000002
【特許請求の範囲】
【請求項１】
印影を真っ直ぐに捺印するための印鑑補助具であって、印鑑の上部に被冠されるキャップであり、
前記キャップが、上面に形設された十文字状の上面パターンを有してなることを特徴とする印鑑補助具。
【請求項２】
印影を真っ直ぐに捺印するための印鑑補助具であって、印鑑の上部に被冠されるキャップであり、
前記キャップが、上面に形設された十文字状の上面パターン及び、同パターン端から同キャップの側面に沿って下方に延設された側面パターンを有してなることを特徴とする印鑑補助具。
【請求項３】
前記十文字状の上面パターン及び／又は前記上面パターン端から同キャップの側面に沿って下方に延設された側面パターンが、刻設されてなるものであることを特徴とする請求項１又は２に記載の印鑑補助具。
【請求項４】
前記十文字状の上面パターン及び／又は前記上面パターン端から同キャップの側面に沿って下方に延設された側面パターンが、塗布されてなるものであることを特徴とする請求項１又は２に記載の印鑑補助具。
【請求項５】
前記十文字状の上面パターン及び／又は前記上面パターン端から同キャップの側面に沿って下方に延設された側面パターンが、貼設されてなるものであることを特徴とする請求項１又は２に記載の印鑑補助具。
【請求項６】
前記十文字状の上面パターン及び／又は前記上面パターン端から同キャップの側面に沿って下方に延設された側面パターンが、外部からの光を反射して光輝を発する部材を有してなるものであることを特徴とする請求項１〜５のいずれか１項に記載の印鑑補助具。
【請求項７】
前記外部からの光を反射して光輝を発する部材が、単色又は複数色の天然宝石又は人工宝石であることを特徴とする請求項６に記載の印鑑補助具。
【請求項８】
前記外部からの光を反射して光輝を発する部材が、単色又は複数色の天然宝石又は人工宝石の小片であることを特徴とする請求項６に記載の印鑑補助具。
【請求項９】
前記外部からの光を反射して光輝を発する部材が、単色又は複数色の透明な合成樹脂で、かつその表面が光を反射する如く加工されてなるものであることを特徴とする請求項６に記載の印鑑補助具。
【請求項１０】
前記外部からの光を反射して光輝を発する部材が、反射板であることを特徴とする請求項６に記載の印鑑補助具。
【請求項１１】
前記外部からの光を反射して光輝を発する部材が、キャップの上面に刻設された十文字状の上面パターン及び／又は同パターン端から同キャップの側面に沿って下方に延設して刻設された側面パターンに埋設されてなることを特徴とする請求項６〜１０のいずれか１項に記載の印鑑補助具。
【請求項１２】
前記十文字状の上面パターン及び／又は同パターン端から同キャップの側面に沿って下方に延設されてなる側面パターンが、
上面の十文字状の中心から４方向に単色又は各方向にそれぞれ異なった色に色分けされた色彩を備えてなることを特徴とする請求項１〜１１のいずれか１項に記載の印鑑補助具。
【請求項１３】
前記印鑑補助具が、接着剤により印鑑の上部に固結されるものであることを特徴とする請求項１〜１２のいずれか１項に記載の印鑑補助具。
【請求項１４】
前記印鑑補助具が、着脱自在に印鑑の上部に被冠されるものであることを特徴とする請求項１〜１２のいずれか１項に記載の印鑑補助具。
【請求項１５】
前記印鑑補助具が、非捺印時には、印鑑の下部に被冠される捺印面の保護用キャップであることを特徴とする請求項１〜１２又は１４のいずれか１項に記載の印鑑補助具。
【請求項１６】
請求項１〜１５のいずれか１項に記載の印鑑補助具が、印鑑の上部に被冠されてなることを特徴とする印鑑。
【発明の詳細な説明】
【技術分野】
【０００１】
本発明は、印鑑の補助具に係り、特に印影が真っ直ぐに捺印できる印鑑補助具に関する。
【背景技術】
【０００２】
従来、印鑑の印影を真っ直ぐに捺印するには押印時に細心の注意を払う必要があり、十分に注意をしていても、真っ直ぐに捺印するのは非常に難しかった。しかし、真っ直ぐに捺印できずに、不格好になってしまったとしても、書類によっては、捺印し直すことができないことが少なくない。
一方、印影を真っ直ぐに捺印するための印鑑として、物理的に開閉できる補助棒を印鑑本体に枢着したものや、捺印面に補助具を敷設するもの等が知られている。
【特許文献１】特開２０００ー２８９３１５号公報
【特許文献２】特開平９−１３６４７５号公報
【特許文献３】特開平８−２４４３２３号公報
【発明の開示】
【発明が解決しようとする課題】
【０００３】
しかしながら、印鑑本体に補助棒を有するものは捺印の都度、補助棒を開閉しなけらばならず面倒であり、かつ棒状のものが印鑑本体の周囲に展開されるため捺印の際に邪魔になることが少なくなかった。
また、補助具を敷設するものは、補助具を印鑑とともに持ち歩いて捺印の度に被捺印面に敷設する必要があり、かつ複数の印鑑用としてはそれぞれの印鑑の形状が異なるため抜き型に手が掛かかり、両者とも実用には難があった。
本発明は印鑑を捺印する際、邪魔にならず印影を容易に真っ直ぐに押すことができるガイド機能を有し、かつ持ち運びが煩わしくない印鑑補助具を提供する。
【課題を解決するための手段】
【０００４】
上記に鑑み本発明者は鋭意実験研究の結果、次の手段により上記課題を解決した。
（１）印影を真っ直ぐに捺印するための印鑑補助具であって、印鑑の上部に被冠されるキャップであり、前記キャップが、上面に形設された十文字状の上面パターンを有してなることを特徴とする印鑑補助具。
（２）印影を真っ直ぐに捺印するための印鑑補助具であって、印鑑の上部に被冠されるキャップであり、前記キャップが、上面に形設された十文字状の上面パターン及び、同パターン端から同キャップの側面に沿って下方に延設された側面パターンを有してなることを特徴とする印鑑補助具。
【０００５】
（３）前記十文字状の上面パターン及び／又は前記上面パターン端から同キャップの側面に沿って下方に延設された側面パターンが、刻設されてなるものであることを特徴とする前記（１）又は（２）に記載の印鑑補助具。
（４）前記十文字状の上面パターン及び／又は前記上面パターン端から同キャップの側面に沿って下方に延設された側面パターンが、塗布されてなるものであることを特徴とする前記（１）又は（２）に記載の印鑑補助具。
（５）前記十文字状の上面パターン及び／又は前記上面パターン端から同キャップの側面に沿って下方に延設された側面パターンが、貼設されてなるものであることを特徴とする前記（１）又は（２）に記載の印鑑補助具。
【０００６】
（６）前記十文字状の上面パターン及び／又は前記上面パターン端から同キャップの側面に沿って下方に延設された側面パターンが、外部からの光を反射して光輝を発する部材を有してなるものであることを特徴とする前記（１）〜（５）のいずれか１項に記載の印鑑補助具。
（７）前記外部からの光を反射して光輝を発する部材が、単色又は複数色の天然宝石又は人工宝石であることを特徴とする前記（６）に記載の印鑑補助具。
（８）前記外部からの光を反射して光輝を発する部材が、単色又は複数色の天然宝石又は人工宝石の小片であることを特徴とする前記（６）に記載の印鑑補助具。
【０００７】
（９）前記外部からの光を反射して光輝を発する部材が、単色又は複数色の透明な合成樹脂で、かつその表面が光を反射する如く加工されてなるものであることを特徴とする前記（６）に記載の印鑑補助具。
（１０）前記外部からの光を反射して光輝を発する部材が、反射板であることを特徴とする前記（６）に記載の印鑑補助具。
【０００８】
（１１）前記外部からの光を反射して光輝を発する部材が、キャップの上面に刻設された十文字状の上面パターン及び／又は同パターン端から同キャップの側面に沿って下方に延設して刻設された側面パターンに埋設されてなることを特徴とする前記（６）〜（１０）のいずれか１項に記載の印鑑補助具。
（１２）前記十文字状の上面パターン及び／又は同パターン端から同キャップの側面に沿って下方に延設されてなる側面パターンが、上面の十文字状の中心から４方向に単色又は各方向にそれぞれ異なった色に色分けされた色彩を備えてなることを特徴とする前記（１）〜（１１）のいずれか１項に記載の印鑑補助具。
（１３）前記印鑑補助具が、接着剤により印鑑の上部に固結されるものであることを特徴とする前記（１）〜（１２）のいずれか１項に記載の印鑑補助具。
【０００９】
（１４）前記印鑑補助具が、着脱自在に印鑑の上部に被冠されるものであることを特徴とする前記（１）〜（１２）のいずれか１項に記載の印鑑補助具。
（１５）前記印鑑補助具が、非捺印時には、印鑑の下部に被冠される捺印面の保護用キャップであることを特徴とする前記（１）〜（１２）又は（１４）のいずれか１項に記載の印鑑補助具。
（１６）前記（１）〜（１５）のいずれか１項に記載の印鑑補助具が、印鑑の上部に被冠されてなることを特徴とする印鑑。
【発明の効果】
【００１０】
本発明により下記のような効果が期待できる。
本発明の印鑑補助具は、印鑑の上部に被冠されるキャップであり、同キャップの上面に形設された十文字状の上面パターンを有してなるものであるので、捺印の際、邪魔にならず、かつ確実に印影を真っ直ぐに捺印することができる。
また、本発明の印鑑補助具は、印鑑の上部に被冠されるキャップであり、同キャップの上面に十文字状の上面パターン及び、同パターン端から同キャップの側面に沿って下方に延設された側面パターンを有して構成することができるので、印鑑に装着しやすく、捺印時に邪魔にならず、かつ確実に印影を真っ直ぐに捺印することができる。
本発明の印鑑補助具は、前記上面パターン及び側面パターンを見て、捺印物に対し傾きがないかどうか容易に確認して捺印できるので、常に真っ直ぐに捺印することができる。
【００１１】
本発明の印鑑補助具は、その上面に形設される上面パターン及び／又は前記上面パターン端から同キャップの側面に沿って下方に延設される側面パターンを、刻設、塗布、貼設等により構成することができるので、前記各パターンは確認しやすく、かつ耐久性がよい。
さらに、本発明の印鑑補助具は、その上面に形設される上面パターン及び／又は前記上面パターン端から同キャップの側面に沿って下方に延設される側面パターンを、外部からの光を反射して光輝を発する部材を有して構成することができるので、印鑑補助具の外観は優雅で高級感を備えるものになる。
【００１２】
そして、前記上面パターン及び／又は側面パターン端から同印鑑の側面に沿って下方に延設される側面パターンが、上面の十文字状の中心から４方向に単色又は各方向にそれぞれ異なった色に色分けされた色彩を備えて構成することができるので、例えば、周知の風水パワーを表す色彩として、赤、黄、青、緑等に色分けし、前記上面パターン及び／又は側面パターン毎に異なる色彩、あるいは４色を交互に配列することにより、印鑑の所持時及び捺印の際、意識の高揚と安心感を得ることができる。
【００１３】
さらに、本発明の印鑑補助具は、印鑑の不使用時には、印鑑の下部に被冠することができるので、捺印面の保護をすることができるとともに、印鑑と一体で保管できるので、紛失等もなく、わざわざ持ち歩く必要もないので、煩わしさもない。
【発明を実施するための最良の形態】
【００１４】
以下図面に基づいて、発明を実施するための最良の形態を説明する。
図１は、本発明の印鑑補助具であるキャップの上面に形設された十文字状の上面パターンを有する印鑑補助具の外観図である。
図２は、本発明の印鑑補助具であるキャップの説明図で（イ）は縦断面図、（ロ）は下面図、（ハ）は他の実施例の縦断面図を示す。
図３は、印鑑補助具を印鑑の上部に装着した場合の外観図、図４は印鑑補助具を印鑑の下部に装着した場合の外観図、図５は本発明の印鑑補助具の使用方法を示す図である。
図において、１は印鑑補助具、１ａは印鑑補助具の上面、１ｂは印鑑補助具の側面、２は着脱部、３は挿入方向ガイド、４は外側筒体、５は内側筒体、６は上面パターン、７は側面パターン、８は浅い溝、９は印鑑、１０は挿入ガイドマーク、１１は捺印ガイド用切欠き、１２は透明接着材、１３は宝石、１４は宝石の小片、１５は捺印物、１６は連続光輝帯を示す。
【００１５】
本発明における印鑑補助具１は、印鑑の上部に被冠されるキャップであり、上面１ａに十文字状の上面パターン６が形設されて構成される。
また、本発明の印鑑補助具１は、図１に示すようにその上面１ａに十文字状の上面パターン６、そして、同パターン端６ｃから同印鑑補助具の側面１ｂに沿って下方に側面パターン７が延設されるキャップで構成される。
ここで、本発明における印鑑補助具１は、実印をはじめ、認印、銀行印等あらゆる印鑑に適用できるものであり、材質や形状は限定されるものでなく、使用する印鑑の大きさや形状に合わせて印鑑補助具１の大きさや形状を調整したものを準備すればよい。
また、被冠される印鑑の種類としては、例えば捺印時に朱肉をつけるもの、インク自給式のもの等、あらゆる種類の印鑑に適用できる印鑑補助具である。
【００１６】
そして、本発明における印鑑補助具１の上面１ａに形設される十文字状の上面パターン６は、印鑑補助具１の上面１ａの中心部に十文字の縦方向の線６ａと横方向の線６ｂの交差する位置が配置され、印鑑９（図３参照）に被冠して使用する際に、印影の上下方向に縦方向の線６aが一致し、印影の左右方向に横方向の線６ｂが一致するように構成されるものである。
また、上面パターン端６ｃから印鑑補助具１の側面１ｂに沿って下方に延設されて形設される側面パターン７は、印鑑９に被冠して使用する際に、印影の上下方向及び左右方向に対し、垂直に形成される。
そして、前記十文字状の上面パターン６及び側面パターン７は、刻設、塗布、貼設あるいは描画などによって、形設することができるものであり、確認しやいものとなっている。なお、各パターンの形設は、長期の印鑑の使用に耐えうる程度の手段であれば、その形設方法は問わないが、好ましくは強度、耐久性の点から刻設が挙げられる。
【００１７】
また、前記十文字状の上面パターン６及び側面パターン７の表現は、連続する直線、曲線、波線、模様、点などが挙げられるが、印鑑補助具１の上面１ａに十文字状の上面パターン６、印鑑補助具１の側面１ｂに沿って下方に延設された側面パターン７を使用者が認識できるものであれば、その表現は限定されるものではない。
【００１８】
なお、本発明の印鑑補助具１はキャップであり、その上面１ａ及び側面１ｂに上面パターン６及び側面下方に延設された側面パターン７が形設されて構成され、前記延設された側面パターン７の端に挿入方向ガイド３を表示することもできる。
【００１９】
本発明の印鑑補助具１は、印鑑９に被冠できるものであればよいが、例えば、図２の（イ）、（ロ）に示したように、外側筒体４と、その内周に配設された弾力性を有する内側筒体５で構成し、前記内側筒体５の内部を着脱部２とすると、印鑑９本体への被冠が容易で、かつ印鑑９を傷つけることない。
印鑑補助具１の材質としては、例えば前記外側筒体４はプラスチック、内側筒体５は弾力性を有する合成ゴム等とすれば、既製の印鑑９の形状（例えば丸形、楕円形）の外寸の大きさが多少異なっても挿入できると共に、締め付けて確実に装着することができる。
なお、被冠する印鑑９と同一又は類似の材質で構成したり、外側筒体４のみで形成することができることはいうまでもない。
【００２０】
さらに、図２の（ハ）に示したように、所要の印鑑９の外寸に合ったもの、あるいはやや大きめの印鑑補助具１であれば、例えば、その筒体の内側に数条の浅い溝８を凸設することによりその弾力によって装着することができる。
また、取外すには、前記印鑑補助具１を印鑑９から引き抜けばよい。
【００２１】
図３は、本発明の印鑑補助具を印鑑に装着した時の外観図である。
本発明の印鑑補助具１は、図３に示したように上面パターン６及び側面パターン７が形設されて構成されるが、側面パターン７に挿入方向ガイド３を備えることもできる。前記該挿入方向ガイド３と、印鑑９に備えられた挿入ガイドマーク１０又は、捺印ガイド用切欠き１１を合わせて嵌入することにより、印鑑９の上下左右方向に正確に印鑑補助具１が被冠されるので、容易に印影を真っ直ぐに捺印することができる。
前記挿入ガイドマーク１０は例えば細長いシール等を貼付して構成することもでき、もちろん、刻設や塗布などによって構成してもよい。
なお、印鑑補助具１は、印鑑毎の専用とすることも、複数の印鑑の補助具としても使用することができるが、使用時の煩わしさ等を考慮して、印鑑毎に被冠することが好ましい。
【００２２】
図４は、本発明の印鑑補助具を印鑑の不使用時に印鑑の下部に被冠した時の外観図である。
本発明の印鑑補助具１は、印鑑９の上部に被冠できるように構成されているので、印鑑９の下部にも容易に被冠できるものである。
従って、印鑑９の使用時以外は、捺印部９’の保護のため、印鑑９下部のキャップとして使用することができる。
【００２３】
図５は、本発明の印鑑補助具の使用方法を示す図である。
印鑑９に被冠された印鑑補助具１の上面１ａには、十文字状の上面パターン６が形設されている。また、捺印する場所は、紙などの捺印物１５の所定個所（図では署名の最後）である。
本発明の印鑑補助具１は、捺印する際には、印鑑補助具上面１ａの上面パターン６の縦のライン６ａ、あるいは縦のライン６ａを基準とする縦の方向線６ａ’と、捺印物１５の縦方向１５ａ（例えば、紙の左右の端部）の線１５ａ’との間（矢印α）が平行になるように配置される。
そして、同様に、印鑑上面１ａの上面パターン６の横のライン６ｂ、あるいは横のライン６ｂを基準とする横の方向線６ｂ’と、捺印物１５の横方向１５ｂ（例えば、紙の上下の端部）の線１５ｂ’との間（矢印β）が平行になるように配置される。
その後、上面パターン６の縦のライン６ａと横のライン６ｂを目印として、捺印物１５の縦方向１５ａと横方向１５ｂを平行を保った後に、捺印個所に捺印する。
このように、印鑑補助具１の上面１ａに形成された上面パターン６の縦のライン６ａと横のライン６ｂと、捺印物１５の縦方向１５ａと横方向１５ｂを合わせて捺印することにより、容易に印影を真っ直ぐに押すことができる。
【００２４】
前記図１・図２に示した事例は、十文字状の上面パターン６及び側面に沿って下方に延設された側面パターン７が、上面の十文字状の中心をセンタとして４方向に色分けされた色彩をもって構成することもできる。
従って例えば、周知の風水パワーを表す色彩として、赤、黄、青、緑等に色分けし、上面パターン６又は側面パターン７毎に異なる色彩、あるいは上面パターン６又は側面パターン７に前記４色を交互に配列することにより、印鑑補助具を用いて捺印する際、意識の高揚と安心感を得ることができる。
【００２５】
次ぎに、前記上面パターン６及び側面パターン７の各種事例について説明する。
上面パターン６及び／又は側面パターン７は、外部からの光を反射して光輝する部材で構成することができる。
図６は、宝石を半面露光するように側面パターン７に配列した側面パターン７の部分図で、（イ）は正面図、（ロ）は側面断面図を示す。
図に示す宝石１３は、単色又は複数色の天然宝石又は人工宝石であり、該宝石１３を半面が露光されるように上面パターン６及び側面下方に延設された側面パターン７に小間隔に透明接着材１２で埋設されている。
【００２６】
図７は、宝石の小片１４と透明接着材を混合して側面パターン７を構成した場合の側面パターン７の部分図であり、（イ）は正面図、（ロ）は側面断面図を示す。
図に示す反射して光輝を発する部材は、単色又は複数色の天然宝石又は人工宝石の小片１４であり、透明接着剤１２と混合して前記上面パターン６及び側面下方に延設された側面パターン７に埋設されて連続光輝帯１６を構成している。
【００２７】
本発明の印鑑補助具１においては、外部からの光を反射して光輝を発する部材としては、前述の単色又は複数色の天然宝石や人工宝石、単色又は複数色の天然宝石又は人工宝石の小片の他、単色又は複数色の透明な合成樹脂で、かつその表面が光りを反射する如く加工されてなるもの、又は反射板などを採用することができる。
そして、上記部材は、印鑑補助具１の上面１ａに刻設された十文字状の上面パターン６及び／又は同パターン端６ｃから同印鑑補助具１の側面に沿って下方に延設して刻設された側面パターン７に埋設して構成すると、捺印の妨げとならず、使用による剥離等もなく、使いやすい印鑑補助具１とすることができる。
【００２８】
なお、本発明の印鑑補助具１は、印鑑９の上部に着脱自在に被冠することもできるが、接着剤等で固着して構成することもできる。
【図面の簡単な説明】
【００２９】
【図１】本発明の印鑑補助具の上面に形設された十文字状の上面パターンを有する印鑑補助具の外観図
【図２】本発明の印鑑補助具の説明図
【図３】本発明の印鑑補助具を印鑑の上部に装着した場合の外観図
【図４】本発明の印鑑補助具を印鑑の下部に装着した場合の外観図
【図５】本発明の印鑑補助具の使用方法を示す図
【図６】宝石を半面露光するように側面パターンに配列した側面パターンの部分図
【図７】宝石の小片と透明接着材を混合して側面パターンを構成した場合の側面パターンの部分図
【符号の説明】
【００３０】
１：印鑑補助具
１ａ：印鑑補助具の上面
１ｂ：印鑑補助具の側面
２：着脱部
３：挿入方向ガイド
４：外側筒体
５：内側筒体
６：上面パターン
６ａ：縦方向の線
６ｂ：横方向の線
６ｃ：上面パターン端
７：側面パターン
８：浅い溝
９：印鑑
９’：捺印部
１０：挿入ガイドマーク
１１：捺印ガイド用切欠き
１２：透明接着材
１３：宝石
１４：宝石の小片
１５：捺印物
１５ａ：捺印物の縦方向
１５ｂ：捺印物の横方向
１６：連続光輝帯
【図１】
2006027149.tif 000003
【図２】
2006027149.tif 000004
【図３】
2006027149.tif 000005
【図４】
2006027149.tif 000006
【図５】
2006027149.tif 000007
【図６】
2006027149.tif 000008
【図７】
2006027149.tif 000009